(57)【要約】【課題】電線を貫通孔内に導く切込みを有するシール部材において、パッキンをハウジング等の開口に装着する際に、リップ部に不連続部が生じるのを抑制することが可能なシール部材、及びそのシール部材を備えたコネクタの提供を目的とする。【解決手段】シール部材４は、少なくとも１つの貫通孔４１，４２，４３が形成されると共に、外周面４０ａ及び貫通孔４１，４２，４３の内周面４１ａ，４２ａ，４３ａの少なくとも何れかに周方向に延びるリップ部４０１，４０２，４０３が形成されたシール部材４であって、外周面４０ａから内周面４１ａ，４２ａ，４３ａに至る切込み４１ｂ，４２ｂ，４３ｂを有し、切込み４１ｂ，４２ｂ，４３ｂは、少なくとも一部が周方向に直交する方向に対して交差するように切込まれている。【選択図】図２
2013201053.tif 000002
【特許請求の範囲】
【請求項１】
少なくとも１つの貫通孔が形成されると共に、外周面及び前記貫通孔の内周面の少なくとも何れかに周方向に延びるリップ部が形成されたシール部材であって、
前記外周面から前記内周面に至る切込みを有し、
前記切込みは、少なくとも一部が前記周方向に直交する方向に対して交差するように切込まれている
シール部材。
【請求項２】
前記切込みは、それぞれの前記リップ部の頂部が折返し点となる折返し形状である
請求項１に記載のシール部材。
【請求項３】
前記切込みは、前記複数のリップ部の谷部に沿って延びる第１切込み部と、
前記第１切込み部の両端部から前記第１切込み部に交差する方向に延びる第２切込み部とを有する
請求項１に記載のシール部材。
【請求項４】
請求項１乃至３の何れか１項に記載のシール部材と、前記シール部材を収容する開口を有するハウジングとを備えたコネクタ。
【発明の詳細な説明】
【技術分野】
【０００１】
本発明は、シール部材、及びシール部材を備えたコネクタに関する。
【背景技術】
【０００２】
従来、例えば電気配線用のコネクタに、ハウジングと電線との間をシールするシール部材が用いられている（例えば、特許文献１，２参照。）。
【０００３】
特許文献１に記載のパッキンは、ハウジングに設けられた筒状部の内周面に挿入して使用される。このパッキンは、電線を挿通させる電線挿通孔を有し、略筒状に形成されたゴム材料製の環状部材であり、その外周面には、外方に突出した外周リップ部が形成されている。筒状部にパッキンが挿入されると、リップ部が筒状部の内周面により径方向につぶされることによって、パッキンと筒状部の内周面が密着し、シール機能を発揮する。
【０００４】
特許文献２に記載のゴム栓は、電線の絶縁被覆上に装着され、ハウジングの開口に挿入して使用される。このゴム栓は、略矩形平板状であり、電線の絶縁被覆と同様の直径である内径を有する開口が形成されると共に、この開口からゴム栓の一側縁に至るスリットが形成され、このスリットを介して電線をゴム栓の開口内に挿入可能である。ゴム栓の周縁は、ハウジングの開口と略同じ寸法となっているため、ハウジングの開口は、このゴム栓を挿入することによってシールされる。
【先行技術文献】
【特許文献】
【０００５】
【特許文献１】特開２０１０−１０６９７８号公報
【特許文献２】実開平５−４５９４４号公報
【発明の概要】
【発明が解決しようとする課題】
【０００６】
ところで、特許文献１に記載のパッキンを、予め端子が取り付けられた電線の一端部に装着する際に、端子の形状及び大きさによって電線及び端子をこの一端部側から電線収容孔に挿通できない場合には、電線の他端部側から一端部側までを電線の略全長に亘って電線収容孔に挿通していく作業が必要となるため、電線にパッキンを装着する作業の効率向上の妨げとなっていた。
【０００７】
そこで、本願の発明者らは、特許文献１に記載のパッキンに、特許文献２に記載されているようなスリットを適用することを考えた。しかしながら、特許文献１に記載のパッキンに特許文献２に記載の技術を適用しようとすると以下のような問題があった。
【０００８】
すなわち、パッキンをハウジングの開口に装着する際、スリット部の両側において外周リップ部が相互に位置ずれを起こしてしまう場合があり、この外周リップ部の位置ずれに起因して、外周リップ部と開口の内面とが密着する領域に不連続部が生じ、この不連続部において空気等の通り道ができ、シール性能が低下してしまうという問題があった。
【０００９】
そこで、本発明は、電線を貫通孔内に導く切込みを有するシール部材において、パッキンをハウジング等の開口に装着する際に、リップ部に不連続部が生じるのを抑制することが可能なシール部材、及びそのシール部材を備えたコネクタの提供を目的とする。
【課題を解決するための手段】
【００１０】
本発明は、上記課題を解決することを目的として、少なくとも１つの貫通孔が形成されると共に、外周面及び前記貫通孔の内周面の少なくとも何れかに周方向に延びるリップ部が形成されたシール部材であって、前記外周面から前記内周面に至る切込みを有し、前記切込みは、少なくとも一部が前記周方向に直交する方向に対して交差するように切込まれているシール部材を提供する。
【００１１】
また、前記切込みは、それぞれの前記リップ部の頂部が折返し点となる折返し形状であってもよい。
【００１２】
また、前記切込みは、前記複数のリップ部の谷部に沿って延びる第１切込み部と、前記第１切込み部の両端部から前記第１切込み部に交差する方向に延びる第２切込み部とを有してもよい。
【００１３】
また、本発明は、上記課題を解決することを目的として、上記の何れかに記載のシール部材と、前記シール部材を収容する開口を有するハウジングとを備えたコネクタを提供する。
【発明の効果】
【００１４】
本発明に係るシール部材及びコネクタによれば、パッキンをハウジング等の開口に装着する際に、リップ部に不連続部が生じるのを抑制することができる。
【図面の簡単な説明】
【００１５】
【図１】第１の実施の形態に係るコネクタ装置の構成例を示す一部断面図である。
【図２】第１の実施の形態に係るシール部材を示す斜視図である。
【図３】シール部材を示し、（ａ）は上面図、（ｂ）は正面図である。
【図４】図２のＡ−Ａ線断面図である。
【図５】切込みが周方向に直交する方向に対して平行な比較例に係るシール部材が開口に挿入された際の外周面の状態を示し、（ａ）は上面図、（ｂ）は（ａ）のＤ部の部分拡大図である。
【図６】第２の実施の形態に係るシール部材を示す上面図である。
【図７】第３の実施の形態に係るシール部材を示す上面図である。
【発明を実施するための形態】
【００１６】
［第１の実施の形態］
以下、本発明の第１の実施の形態に係るシール部材及びコネクタ装置の一構成例を図１〜４を参照して説明する。
【００１７】
図１は、第１の実施の形態に係るコネクタ装置１の構成例を示す一部断面図である。
【００１８】
コネクタ装置１は、雄コネクタ１１及び雌コネクタ１２を有している。雄コネクタ１１と雌コネクタ１２とは、雄コネクタ１１の雄側ハウジング２１と雌コネクタ１２の雌側ハウジング２２とを嵌合することにより結合される。本実施の形態では、雄側ハウジング２１の一部が雌側ハウジング２２に収容されるように、雄側ハウジング２１と雌側ハウジング２２とが嵌合される。雌コネクタ１２は、本発明に係る「コネクタ」の一例であり、雌側ハウジング２２は、本発明に係る「ハウジング」の一例である。
【００１９】
雄コネクタ１１は、一端に端子台部１１０を有している。端子台部１１０には、雄側接続端子１１１，１１２，１１３の一端が雄側ハウジング２１から露出している。雄側接続端子１１１，１１２，１１３は、導電性の金属からなり、例えば銅合金からなる基材の表面を錫めっきしてなる。
【００２０】
雌コネクタ１２には、複数（３本）の電線３１，３２，３３が接続されている。電線３１，３２，３３は、導電性の金属からなる芯線３１ａ，３２ａ，３３ａを、その先端部を除いて、絶縁被膜３１ｂ，３２ｂ，３３ｂで覆って構成されている。
【００２１】
電線３１，３２，３３は、例えば車両の走行用の駆動源としての電気モータに電流を供給するために用いられる。この場合、雄コネクタ１１の端子台部１１０は、電気モータ又はインバータのケース内に収容される。
【００２２】
雌コネクタ１２は、雄側接続端子１１１，１１２，１１３にそれぞれ電気的に接続される図示しない３つの雌側接続端子と、これら雌側接続端子を保持する雌側ハウジング２２とを有している。
【００２３】
雄側ハウジング２１と雄側ハウジング２１とが嵌合されると、雄側接続端子１１１，１１２，１１３と電線３１，３２，３３とが、それぞれ雌側接続端子を介して電気的に接続される。
【００２４】
雌側ハウジング２２には、その一端に、電線３１，３２，３３を挿通させる開口２２０が形成されている。開口２２０内には、電線３１，３２，３３と開口２２０の内面２２０ａとの間を封止するシール部材４が収容されている。
【００２５】
次に、シール部材４について、図２〜４を参照して詳しく説明する。図２は、第１の実施の形態に係るシール部材４を示す斜視図である。図３は、同じくシール部材４を示し、（ａ）は上面図、（ｂ）は正面図である。図４は、図２のＡ−Ａ線断面図である。
【００２６】
シール部材４は、外周面４０ａと一対の側面４０ｂとを有し、一対の側面４０ｂの間を厚さ方向に貫通する３つの貫通孔４１，４２，４３が形成されている。また、シール部材４は、外周面４０ａから貫通孔４１，４２，４３の内周面４１ａ，４２ａ，４３ａに至る切込み４１ｂ，４２ｂ，４３ｂを有する。このシール部材４は、弾性を有する材料であり、例えばシリコンゴム、フッ素ゴム、二トリルゴム、エチレンプロピレンゴム等からなる。
【００２７】
貫通孔４１，４２，４３は、それぞれの中心軸が互いに平行かつ側面４０ｂに対して直交し、その内径は電線３１，３２，３３（図１に示す）の外径よりも小さく形成されている。内周面４１ａには、周方向の全周に亘って、貫通孔４１の内方にＶ字状に突出するリップ部４１１，４１２，４１３が形成されている。同様に、内周面４２ａ，４３ａには、周方向の全周に亘って、貫通孔４２，４３の内方にＶ字状に突出するリップ部４２１，４２２，４２３、及びリップ部４３１，４３２，４３３が形成されている。
【００２８】
外周面４０ａには、周方向の全周に亘って、外周面４０ａの垂直方向にＶ字状に突出する頂部４０１ｃを有するリップ部４０１、頂部４０２ｃを有するリップ部４０２、頂部４０３ｃを有するリップ部４０３が形成されている。複数のリップ部４０１，４０２，４０３は、互いに平行に形成されている。一方の側面４０ｂ側と頂部４０１ｃとの間には谷部４０１ｄが形成され、頂部４０１ｃと頂部４０２ｃの間には谷部４０２ｄが形成され、頂部４０２ｃと頂部４０３ｃとの間には谷部４０３ｄが形成され、頂部４０３ｃと他方の側面４０ｂ側との間には谷部４０４ｄが形成されている。また、内周面４１ａのリップ部４１１，４１２，４１３、内周面４２ａのリップ部４２１，４２２，４２３、及び内周面４３ａのリップ部４３１，４３２，４３３は、それぞれ互いに平行に形成されている。内周面４１ａについても外周面４０ａと同様に、リップ部４１１〜４１３，４２１〜４２３，４３１〜４３３によって頂部及び谷部が形成されている。
【００２９】
外周面４０ａに形成されたリップ部４０１と、内周面４１ａ，４２ａ，４３ａに形成されたリップ部４１１，４２１，４３１とは、貫通孔４１の中心軸方向において同じ位置に形成されている。同様に、外周面４０ａに形成されたリップ部４０２と、内周面４１ａ，４２ａ，４３ａに形成されたリップ部４１２，４２２，４３２とは、貫通孔４１の中心軸方向においてそれぞれ同じ位置に形成されている。また同様に、外周面４０ａに形成されたリップ部４０３と、内周面４１ａ，４２ａ，４３ａに形成されたリップ部４１３，４２３，４３３とは、貫通孔４１の中心軸方向においてそれぞれ同じ位置に形成されている。
【００３０】
切込み４１ｂ，４２ｂ，４３ｂは、複数のリップ部４０１，４０２，４０３の周方向に直交する方向、すなわち複数のリップ部４０１，４０２，４０３の並列方向に対して交差するように切込まれている。本実施の形態では、切込み４１ｂ，４２ｂ，４３ｂは、リップ部４０１，４０２，４０３の周方向に直交する方向に対してジグザグに交差して切込まれる。
【００３１】
次に、切込み４１ｂ，４２ｂ，４３ｂの形状についてさらに詳しく説明する。切込み４１ｂは、一方の側面４０ｂから、この一方の側面４０ｂ側のリップ部４０１における頂部４０１ｃの折返し点４４１までの間は、周方向の一方に向けて斜めに切込まれる。リップ部４０１における頂部４０１ｃの折返し点４４１からリップ部４０２における頂部４０２ｃの折返し点４４２までの間は、周方向の他方に向けて斜めに切込まれる。リップ部４０２における頂部４０２ｃの折返し点４４２からリップ部４０３における頂部４０３ｃの折返し点４４３までの間は、周方向の一方に向けて斜めに切込まれる。リップ部４０３における頂部４０３ｃの折返し点４４３から他方の側面４０ｂまでの間は、周方向の他方に向けて斜めに切込まれる。すなわち、切込み４１ｂは、それぞれのリップ部４０１，４０２，４０３が折返し点４４１，４４２，４４３となる折返し形状である。
【００３２】
同様に、切込み４２ｂは、一方の側面４０ｂから、この一方の側面４０ｂ側のリップ部４０１における頂部４０１ｃの折返し点４５１までの間は、周方向の一方に向けて斜めに切込まれる。リップ部４０１における頂部４０１ｃの折返し点４５１からリップ部４０２における頂部４０２ｃの折返し点４５２までの間は、周方向の他方に向けて斜めに切込まれる。リップ部４０２における頂部４０２ｃの折返し点４５２からリップ部４０３における頂部４０３ｃの折返し点４５３までの間は、周方向の一方に向けて斜めに切込まれる。リップ部４０３における頂部４０３ｃの折返し点４５３から他方の側面４０ｂまでの間は、周方向の他方に向けて斜めに切込まれる。すなわち、切込み４２ｂは、それぞれのリップ部４０１，４０２，４０３が折返し点４５１，４５２，４５３となる折返し形状である。
【００３３】
また同様に、切込み４３ｂは、一方の側面４０ｂから、この一方の側面４０ｂ側のリップ部４０１における頂部４０１ｃの折返し点４５１までの間は、周方向の一方に向けて斜めに切込まれる。リップ部４０１における頂部４０１ｃの折返し点４５１からリップ部４０２における頂部４０２ｃの折返し点４５２までの間は、周方向の他方に向けて斜めに切込まれる。リップ部４０２における頂部４０２ｃの折返し点４５２からリップ部４０３における頂部４０３ｃの折返し点４５３までの間は、周方向の一方に向けて斜めに切込まれる。リップ部４０３における頂部４０３ｃの折返し点４５３から他方の側面４０ｂまでの間は、周方向の他方に向けて斜めに切込まれる。すなわち、切込み４３ｂは、それぞれのリップ部４０１，４０２，４０３が折返し点４５１，４５２，４５３となる折返し形状である。
【００３４】
電線３１は、シール部材４の切込み４１ｂを周方向に開いて形成された隙間から貫通孔４１に挿入される。電線３１が貫通孔４１内に挿入されると、切込み４１ｂが閉じてリップ部４１１，４１２，４１３の頂部４０１ｃ，４０２ｃ，４０３ｃが電線３１の外周面に接触する。同様に、電線３２は、シール部材４の切込み４２ｂを周方向に開いて形成された隙間から貫通孔４２内に挿入される。電線３２が貫通孔４２内に挿入されると、切込み４２ｂ閉じてリップ部４２１，４２２，４２３の頂部４０１ｃ，４０２ｃ，４０３ｃが電線３２の外周面に接触する。また同様に、電線３３は、シール部材４の切込み４３ｂを周方向に開いて形成された隙間から貫通孔４３内に挿入される。電線３３が貫通孔４３内に挿入されると、切込み４３ｂが周方向に閉じてリップ部４３１，４３２，４３３の頂部４０１ｃ，４０２ｃ，４０３ｃが電線３３の外周面に接触する。
【００３５】
電線３１，３２，３３が挿入されたシール部材４は、図１に示すように、雌側ハウジング２２の開口２２０に挿入される。シール部材４の外周面４０ａにおけるリップ部４０１，４０２，４０３は、開口２２０の内面２２０ａに接する。開口２２０の内面２２０ａは、シール部材４の外周面４０ａにおけるリップ部４０１，４０２，４０３の外径よりも小さく形成されている。シール部材４が開口２２０に挿入されると、リップ部４０１，４０２，４０３が開口２２０の内面２２０ａから押圧力を受けて弾性変形することによって、雌側ハウジング２２における開口２２０の内面２２０ａとシール部材４におけるリップ部４０１，４０２，４０３とが密着する。
【００３６】
また、シール部材４の外周面４０ａが押圧されることによって、内周面４１ａ，４２ａ，４３ａのリップ部４１１〜４１３，４２１〜４２３，４３１〜４３３は、電線３１，３２，３３を押圧し、その反力を受けて弾性変形する。リップ部４１１〜４１３，４２１〜４２３，４３１〜４３３が弾性変形することによって、電線３１，３２，３３の外周面とリップ部４１１〜４１３，４２１〜４２３，４３１〜４３３とが密着する。
【００３７】
次に、図３及び図５を参照して、本実施の形態の作用及び効果を説明する。
【００３８】
図５は、切込みが周方向に直交する方向に対して平行な比較例に係るシール部材４００が開口２２０に挿入された際の外周面４０ａの状態を示し、（ａ）は上面図、（ｂ）は（ａ）のＤ部の部分拡大図である。
【００３９】
シール部材４００が開口２２０に挿入されると、リップ部４０１が開口２２０の内面２２０ａから押圧力を受けて押しつぶされ、切込み４１０ｂの一側におけるリップ部４０１の先端部４０１ａと、切込み４１０ｂの他側におけるリップ部４０１の先端部４０１ｂとが肉の流動によって互いに押し合い、周方向に対して互いに逆方向にずれる。これにより、リップ部４０１が開口２２０の内面２２０ａに密着する領域が切込み４１ｂの前後で途切れて不連続となり、図５（ｂ）中に矢印Ｅで示すように、空気等が流通するパスが形成される。このパスは、リップ部４０１，４０２，４０３と切込み４１０ｂ，４２０ｂ，４３０ｂとが交わる各交差部において形成される。
【００４０】
また、シール部材４００の長手方向に沿った一方の外周面４０ａは、図５（ａ）に示すように、切込み４１０ｂ，４２０ｂ，４３０ｂによって４つの領域に区画されており、この領域同士が切込み４１０ｂ，４２０ｂ，４３０ｂに沿ってずれることによっても、空気等が流通するパスが形成される。
【００４１】
一方、本実施の形態に係るシール部材４では、リップ部４０１，４０２，４０３が開口２２０の内面２２０ａから受ける押圧力により、切込み４１ｂ，４２ｂ，４３ｂの一側から他側へ向かう方向へのリップ部４０１，４０２，４０３の肉の流動が切込み４１ｂ、４２ｂ、４３ｂの形状によって抑制される。すなわち、リップ部４０１，４０２，４０３は、Ｖ字状の形状によって切込み４１ｂ，４２ｂ，４３ｂを挟む一方のＶ字状の突起が他方の窪みに嵌まることにより、頂部４０１ｃ，４０２ｃ，４０３ｃにおける周方向に対してのずれが抑制される。同様に、リップ部４０１，４０２，４０３だけでなく、切込み４１ｂ，４２ｂ，４３ｂを挟む両側の領域におけるリップ部４０１，４０２，４０３の周方向に直交する方向に対してのずれについても抑制される。よって、リップ部４０１，４０２，４０３が切込み４１ｂ，４２ｂ，４３ｂの前後で途切れて不連続となり、空気等のパスの形成されることが抑制され、シール性が確保される。
【００４２】
このように、本実施の形態に係るシール部材４では、切込み４１ｂ，４２ｂ，４３ｂによって貫通孔４１，４２，４３に電線３１，３２，３３を挿通させる作業を容易化しながら、この切込み４１ｂ，４２ｂ，４３ｂに起因するパッキンをハウジング等の開口に装着する際におけるシール機能の低下を抑制することができる。
【００４３】
［第２の実施の形態］
次に、本発明の第２の実施の形態について図６を参照して説明する。図６は、第２の実施の形態に係るシール部材４Ａを示す上面図である。
【００４４】
第１の実施の形態では、切込み４１ｂ，４２ｂ，４３ｂは、それぞれのリップ部４０１，４０２，４０３が折返し点４４１〜４４３，４５１〜４５３，４６１〜４６３となるようにリップ部４０１，４０２，４０３の周方向に直交する方向に対してジグザグに切込まれている場合について説明したが、本実施の形態では、切込みの形状が異なっている。これ以外の構成は、第１の実施の形態に係るシール部材４及びコネクタ装置１と同様であるので、第１の実施の形態について説明したものと機能が共通する構成要素については、同一の符号を付してその重複した説明を省略する。
【００４５】
切込み４１ｃは、複数のリップ部４０１，４０２，４０３の間の谷部４０１ｄ〜４０４ｄに沿って延びる第１切込み部４４１Ａ，４４３Ａ，４４５Ａと、第１切込み部４４１Ａ，４４３Ａ，４４５Ａの両端部から前記第１切込み部４４１Ａ，４４３Ａ，４４５Ａに交差する方向に延びる第２切込み部４４２Ａ，４４４Ａ，４４６Ａとを有している。切込み４１ｃは、第１の切込み部４４１Ａ，４４３Ａ，４４５Ａと、第２の切込み部４４２Ａ，４４４Ａ，４４６Ａとを有することによって、それぞれのリップ部４０１，４０２，４０３がシール部材４の周方向に対して凹凸形状となる。本実施の形態では、第１切込み部４４１Ａ，４４３Ａと第２切込み部４４２Ａ、第１切込み部４４３Ａ，４４５Ａと第２切込み部４４４Ａ、及び第１切込み部４４５Ａ，４４７Ａと第３切込み部４４６Ａがそれぞれ直交している。
【００４６】
同様に、切込み４２ｃは、複数のリップ部４０１，４０２，４０３の間の谷部４０１ｄ〜４０４ｄに沿って延びる第１切込み部４５１Ａ，４５３Ａ，４５５Ａと、第１切込み部４５１Ａ，４５３Ａ，４５５Ａの両端部から前記第１切込み部４５１Ａ，４５３Ａ，４５５Ａに交差する方向に延びる第２切込み部４５２Ａ，４５４Ａ，４５６Ａとを有している。切込み４２ｃは、第１切込み部４５１Ａ，４５３Ａ，４５５Ａと、第２切込み部４５２Ａ，４５４Ａ，４５６Ａとを有することによって、それぞれのリップ部４０１，４０２，４０３がシール部材４の周方向に対して凹凸形状となる。本実施の形態では、第１切込み部４５１Ａ，４５３Ａと第２切込み部４５２Ａ、第１切込み部４５３Ａ，４５５Ａと第２切込み部４５４Ａ、及び第１切込み部４５５Ａ，４５７Ａと第３切込み部４５６Ａがそれぞれ直交している。
【００４７】
また同様に、切込み４３ｃは、複数のリップ部４０１，４０２，４０３の間の谷部４０１ｄ〜４０４ｄに沿って延びる第１切込み部４６１Ａ，４６３Ａ，４６５Ａと、第１切込み部４６１Ａ，４６３Ａ，４６５Ａの両端部から前記第１切込み部４６１Ａ，４６３Ａ，４６５Ａに交差する方向に延びる第２切込み部４６２Ａ，４６４Ａ，４６６Ａとを有している。切込み４３ｃは、第１切込み部４６１Ａ，４６３Ａ，４６５Ａと、第２切込み部４６２Ａ，４６４Ａ，４６６Ａとを有することによって、それぞれのリップ部４０１，４０２，４０３がシール部材４の周方向に対して凹凸形状となる。本実施の形態では、第１切込み部４６１Ａ，４６３Ａと第２切込み部４６２Ａ、第１切込み部４６３Ａ，４６５Ａと第２切込み部４６４Ａ、及び第１切込み部４６５Ａ，４６７Ａと第３切込み部４６６Ａがそれぞれ直交している。
【００４８】
詳しく説明すると、切込み４１ｃは、一方側の側面４０ｂからリップ部４０１における一方側の谷部４０１ｄまでの間は、リップ部４０１，４０２，４０３の周方向に直交する方向に対して平行である。リップ部４０１における一方側の谷部４０１ｄには、谷部４０１ｄに沿って一方向に延びるように第１切込み部４４１Ａが形成される。第１切込み部４４１Ａの一方向側の端部からリップ部４０１とリップ部４０２との間の谷部４０２ｄまでには、第１切込み部４４１Ａに交差する方向に、頂部４０１ｃを跨ぐように第２切込み部４４２Ａが形成される。第２切込み部４４２Ａの谷部４０２ｄ側の端部には、谷部４０２ｄに沿って他方向に延びるように第１切込み部４４３Ａが形成される。第１切込み部４４１Ａ，４４３Ａと第２切込み部４４２Ａとによって、一方の周方向に突出する凹凸形状が形成される。
【００４９】
第１切込み部４４３Ａの他方向側の端部からリップ部４０２とリップ部４０３との間の谷部４０３ｄまでには、第１切込み部４４３Ａに交差する方向に、頂部４０２ｃを跨ぐように第２切込み部４４４Ａが形成される。第２切込み部４４４Ａの谷部４０３ｄ側の端部には、谷部４０３ｄに沿って一方向に延びるように第１切込み部４４５Ａが形成される。第１切込み部４４３Ａ，４４５Ａと第２切込み部４４４Ａとによって、他方の周方向に突出する凹凸形状が形成される。
【００５０】
第１切込み部４４５Ａの一方向側の端部からリップ部４０３と他方側の側面４０ｂとの間の谷部４０４ｄまでには、第１切込み部４４５Ａに交差する方向に、頂部４０３ｃを跨ぐように第２切込み部４４６Ａが形成される。第２切込み部４４６Ａの谷部４０４ｄ側の端部には、谷部４０４ｄに沿って他方向に延びるように第１切込み部４４７Ａが形成される。リップ部４０３における他方側の谷部４０４ｄから他方の側面４０ｂまでの間には、リップ部４０１，４０２，４０３の周方向に直交する方向に対して平行である。第１切込み部４４５Ａ，４４７Ａと第２切込み部４４６Ａとによって、一方の周方向に突出する凹凸形状が形成される。
【００５１】
同様に、切込み４２ｃについても、第１切込み部４５１Ａ，４５３Ａと第２切込み部４５２Ａとによって一方向側に突出する凹凸形状と、第１切込み部４５３Ａ，４５５Ａと第２切込み部４５４Ａとによって他方向側に突出する凹凸形状と、第１切込み部４５５Ａ，４５７Ａと第２切込み部４５６Ａとによって一方向側に突出する凹凸形状とが形成される。
【００５２】
また同様に、切込み４３ｃについても、第１切込み部４６１Ａ，４６３Ａと第２切込み部４６２Ａとによって一方向側に突出する凹凸形状と、第１切込み部４６３Ａ，４６５Ａと第２切込み部４６４Ａとによって他方向側に突出する凹凸形状と、第１切込み部４６５Ａ，４６７Ａと第２切込み部４６６Ａとによって一方向側に突出する凹凸形状とが形成される。
【００５３】
本実施の形態によれば、切込みが周方向に突出する凹凸形状を有することによって、切込み４１ｂ，４２ｂ，４３ｂを挟む両側で互いにリップ部４０１，４０２，４０３の周方向に直交する方向に対してのずれが抑制される。よって、リップ部４０１，４０２，４０３が切込み４１ｂ，４２ｂ，４３ｂの前後で途切れて不連続となり、空気等のパスの形成されることが抑制され、シール性が確保される。
【００５４】
［第３の実施の形態］
次に、本発明の第３の実施の形態について図７を参照して説明する。図７は、第３の実施の形態に係るシール部材４Ｂを示す上面図である。
【００５５】
第１の実施の形態では、切込み４１ｂ，４２ｂ，４３ｂは、それぞれのリップ部４０１，４０２，４０３が折返し点４４１，４４２，４４３，４５１，４５２，４５３，４６１，４６２，４６３となるようにシール部材４の周方向に対してジグザグに切込まれている場合について説明したが、本実施の形態では、切込みの形状が異なっている。これ以外の構成は、第１の実施の形態に係るシール部材４及びコネクタ装置１と同様であるので、第１の実施の形態について説明したものと機能が共通する構成要素については、同一の符号を付してその重複した説明を省略する。
【００５６】
切込み４１ｄ，４２ｄ，４３ｄは、リップ部４０１，４０２，４０３の周方向に直交する方向に対して交差するように斜めに切込まれる。
【００５７】
本実施の形態によれば、第１の実施の形態について説明したものと同様の作用及び効果を得ることができる。
【００５８】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００５９】
また、本発明は、その要旨を逸脱しない範囲で適宜変形して実施することが可能である。例えば、上記第１及び第２の実施の形態では、外周面４０ａ及び内周面４１ａ，４２ａ，４３ａにリップ部４０１〜４０３，４１１〜４１３，４２１〜４２３，４３１〜４３３が形成されていたが、リップ部は外周面４０ａ及び内周面４１ａ，４２ａ，４３ａの少なくとも何れかに形成されていればよい。
【００６０】
また、外周面４０ａ及び内周面４１ａ，４２ａ，４３ａにリップ部４０１〜４０３，４１１〜４１３，４２１〜４２３，４３１〜４３３がそれぞれに３箇所ずつ形成されていたが、リップ部は何箇所に形成されてもよい。
【００６１】
また、シール部材４，４Ａ，４Ｂに形成される貫通孔の数にも特に制限はなく、貫通孔の数は１つでもよく、２つ又は４つ以上でもよい。
【００６２】
また、シール部材４の折返し点は、リップ部４０１，４０２，４０３の山に形成したが、リップ部４０１，４０２，４０３の山と谷の間に形成してもよい。
【符号の説明】
【００６３】
１…コネクタ装置、４，４Ａ，４Ｂ，４００…シール部材、１１…雄コネクタ、１２…雌コネクタ、２１…雄側ハウジング、２２…雌側ハウジング、２２０…開口、２２０ａ…内面、３１，３２，３３…電線、３１ａ，３２ａ，３３ａ…芯線、３１ｂ，３２ｂ，３３ｂ…絶縁被膜、４０ａ…外周面、４０ｂ…側面、４１，４２，４３…貫通孔、４１ａ，４２ａ，４３ａ…内周面、４１ｂ，４２ｂ，４３ｂ、４１ｃ、４２ｃ，４３ｃ，４１ｄ，４２ｄ，４３ｄ，４１０ｂ，４２０ｂ，４３０ｂ…切込み、１１０…端子台部、１１１，１１２，１１３…雄側接続端子、４０１，４０２，４０３，４１１，４１２，４１３，４２１，４２２，４２３，４３１，４３２，４３３…リップ部、４０１ｃ，４０２ｃ，４０３ｃ…頂部、４０１ｄ，４０２ｄ，４０３ｄ，４０４ｄ…谷部、４０１ａ，４０１ｂ…先端部、４４１，４４２，４４３，４５１，４５２，４５３，４６１，４６２，４６３…折返し点、４４１Ａ，４４３Ａ，４４５Ａ，４４７Ａ，４５１Ａ，４５３Ａ，４５５Ａ，４５７Ａ，４６１Ａ，４６３Ａ，４６５Ａ，４６７Ａ…第１切込み部、４４２Ａ，４４４Ａ，４４６Ａ，４５２Ａ，４５４Ａ，４５６Ａ，４６２Ａ，４６４Ａ，４６６Ａ…第２切込み部
【図１】
2013201053.tif 000003
【図２】
2013201053.tif 000004
【図３】
2013201053.tif 000005
【図４】
2013201053.tif 000006
【図５】
2013201053.tif 000007
【図６】
2013201053.tif 000008
【図７】
2013201053.tif 000009